Podtech/llm-jp-corpus-v4-ja_patent huggingface dataset:
【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
少なくとも１つのポリエチレングリコール又は機能的同等物及び少なくとも１つのグリコールエーテル又は機能的同等物を含む、ポリフェノールの吸収、有益には小腸吸収を改善するための調合物。
【請求項２】
上記ポリエチレングリコールが式Ｈ（ＯＣＨ2ＣＨ2）nＯＨに対応する重合体であり、ここでｎは３より大きい点を特徴とする、請求項１に記載の調合物。
【請求項３】
上記ポリエチレングリコールが約１００〜２０，０００の平均分子量の、好ましくは約４００〜約１０，０００の平均分子量の、非常に好ましくは約４００〜約６００の平均分子量のポリエチレングリコールから選択される点を特徴とする、請求項１又は２のいずれか１項に記載の調合物。
【請求項４】
上記ポリエチレングリコール又はその機能的同等物の１つが前記調合物の総重量に対する重量で２０〜９７％、好ましくは４０〜９７％の割合である点を特徴とする、請求項１〜３のいずれか１項に記載の調合物。
【請求項５】
上記グリコールエーテルがジエチレングリコールエーテル、好ましくはジエチレングリコールアルキルエーテル、詳細にはジエチレングリコール（Ｃ１‐Ｃ４）アルキルエーテル、非常に詳細にはジエチレングリコールモノ（Ｃ１‐Ｃ４）アルキルエーテル、有益にはジエチレングリコールモノエチルエーテルから選択される点を特徴とする、請求項１〜４のいずれか１項に記載の調合物。
【請求項６】
上記グリコールエーテル又はその機能的同等物の１つが前記調合物の総重量に対する重量で２〜７９％、好ましくは２〜５９％の割合である点を特徴とする、請求項１〜５のいずれか１項に記載の調合物。
【請求項７】
上記調合物が５０〜９３％のポリエチレングリコール又はその機能的同等物の１つ、３〜４６％のグリコールエーテル又はその機能的同等物の１つ及び１００％を作出するために十分な量の水を含む点を特徴とする、請求項１〜６のいずれか１項に記載の調合物。
【請求項８】
上記調合物がポリエチレングリコールの機能的同等物及びグリコールエーテルの機能的同等物を含む点を特徴とする、請求項１〜７のいずれか１項に記載の調合物。
【請求項９】
上記調合物中でポリエチレングリコールの機能的同等物がポリソルベート、有益にはポリソルベート２０、ポリソルベート４０、ポリソルベート６０又はポリソルベート８０から選択されるポリソルベートである点を特徴とする、請求項１〜８のいずれか１項に記載の調合物。
【請求項１０】
上記調合物中でグリコールエーテルの機能的同等物がグリセリン又はポリグリセリル‐３ジオレアートである点を特徴とする、請求項１〜８のいずれか１項に記載の調合物。
【請求項１１】
ヒドロキシスチルベンの吸収、有益には小腸吸収を改善するための、請求項１〜１０のいずれか１項に記載の調合物。
【請求項１２】
上記ヒドロキシスチルベンがＣｉｓ又はＴｒａｎｓ形の式１：
【化１】
2011528336.tif 000001
｛式中、ｎは０〜４の整数であり、そしてｍは０〜５の整数である｝
及びそれらのヒドロキシアルキル化誘導体に対応する点を特徴とする、請求項１１に記載の調合物。
【請求項１３】
上記ヒドロキシスチルベンがモノ、ヂ、トリ、テトラ、ペンタ、ヘキサ、ヘプタ、オクト、ノナヒドロキシスチルベン又はそれらのヒドロキシアルキル化誘導体、好ましくは４’‐ヒドロキシスチルベン、２’，４’‐ジヒドロキシスチルベン、３’，４’‐ジヒドロキシスチルベン、４，４’‐ジヒドロキシスチルベン、２’，４’，４‐トリヒドロキシスチルベン、３’，４’，４‐トリヒドロキシスチルベン、２，４，４’‐トリヒドロキシスチルベン、３，４，４’‐トリヒドロキシスチルベン、３，４’，５‐トリヒドロキシスチルベン、２’，３，４‐トリヒドロキシスチルベン、２，３’，４‐トリヒドロキシスチルベン、２’，２，４’‐トリヒドロキシスチルベン、２，４，４’，５‐テトラヒドロキシスチルベン、２’，３，４’，５‐テトラヒドロキシスチルベン、２，２’，４，４’‐テトラヒドロキシスチルベン、３，３’，４’，５‐テトラヒドロキシスチルベン、２，３’，４，４’‐テトラヒドロキシスチルベン、３，３’，４，４’‐テトラヒドロキシスチルベン、３，３’，４’，５，５’‐ペンタヒドロキシスチルベン、２，２’，４，４’，６‐ペンタヒドロキシスチルベン、２，３’，４，４’，６‐ペンタヒドロキシスチルベン、２，２’，４，４’，６，６’‐ヘキサヒドロキシスチルベン、非常に好ましくは３，４’，５‐トリヒドロキシスチルベン又はレスヴェラトロールでもある点を特徴とする、請求項１１又は１２のいずれか１項に記載の調合物。
【手続補正書】
【提出日】平成24年2月22日(2012.2.22)
【手続補正１】
【補正対象書類名】特許請求の範囲
【補正対象項目名】全文
【補正方法】変更
【補正の内容】
【特許請求の範囲】
【請求項１】
関節リウマチ、骨関節炎、多発性硬化症、アテローム性動脈硬化症、強皮症（全身性硬化症）、ループス、全身性エリテマトーデス（ＳＬＥ）、（急性）糸球体腎炎、喘息、慢性閉塞性肺疾患（ＣＯＰＤ）、呼吸窮迫症候群（ＡＲＤＳ）、血管炎、ブドウ膜炎、皮膚炎、アトピー性皮膚炎、脱毛症、（アレルギー性）鼻炎、アレルギー性結膜炎、重症筋無力症、硬化性皮膚炎、サルコイドーシス、乾癬性関節炎、乾癬、強直性脊椎炎、若年性特発性関節炎、グレーブス病、シェーグレン症候群、及びベーチェット病から成る群から選択される炎症性疾患又は障害の処置のための医薬組成物であって、配列番号１、配列番号２、配列番号３、又は配列番号４のアミノ酸配列に対して少なくとも８０％の同一性を有する、ヒト・ベータ・デフェンシンを含む、前記組成物。
【請求項２】
非経口投与される、請求項１に記載の組成物。
【請求項３】
皮下、又は静脈内に投与される、請求項２に記載の組成物。
【請求項４】
前記ヒト・ベータ・デフェンシンが、約０．００１ｍｇ／ｋｇ体重〜約１０ｍｇ／ｋｇ体重、好ましくは約０．０１ｍｇ／ｋｇ体重〜約１０ｍｇ／ｋｇ体重の１日投与量にて投与される、請求項１〜３のいずれか１項に記載の組成物。
【請求項５】
前記ヒト・ベータ・デフェンシンが、ヒト・ベータ・デフェンシン１、ヒト・ベータ・デフェンシン２、ヒト・ベータ・デフェンシン３、又はヒト・ベータ・デフェンシン４である、請求項１〜４のいずれか１項に記載の組成物。
【請求項６】
前記ヒト・ベータ・デフェンシンが、配列番号２のアミノ酸配列に対して少なくとも８０％の同一性を有する、請求項１〜５のいずれか１項に記載の組成物。
【請求項７】
前記ヒト・ベータ・デフェンシンが、ヒト・ベータ・デフェンシン２である、請求項１〜６のいずれか１項に記載の組成物。
【請求項８】
ＴＮＦ‐アルファ活性が、処置した組織において低下する、請求項１〜７のいずれか１項に記載の組成物。
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
関節リウマチの治療のための医薬組成物であって、ヒト・ベータ・ディフェンシンを含む前記組成物。
【請求項２】
非経口で、好ましくは皮下又は静脈内投与される、請求項１に記載の組成物。
【請求項３】
前記ヒト・ベータ・ディフェンシンが、１日当たり０．１ｍｇ／ｋｇ体重〜１日当たり１００ｍｇ／ｋｇ体重、好ましくは１日当たり０．１ｍｇ／ｋｇ体重〜１日当たり１０ｍｇ／ｋｇ体重の用量で投与される、請求項１又は２に記載の組成物。
【請求項４】
前記ヒト・ベータ・ディフェンシンが、配列番号１、配列番号２、配列番号３、又は配列番号４のアミノ酸配列と少なくとも８０％の同一性を有する、請求項１〜３のいずれか一項に記載の組成物。
【請求項５】
前記ヒト・ベータ・ディフェンシンが、ヒト・ベータ・ディフェンシン１、ヒト・ベータ・ディフェンシン２、ヒト・ベータ・ディフェンシン３、又はヒト・ベータ・ディフェンシン４である、請求項１〜４のいずれか一項に記載の組成物。
【請求項６】
前記ヒト・ベータ・ディフェンシンが、配列番号２のアミノ酸配列と少なくとも８０％の同一性を有する、請求項１〜５のいずれか一項に記載の組成物。
【請求項７】
前記ヒト・ベータ・ディフェンシンが、ヒト・ベータ・ディフェンシン２（配列番号２）である、請求項１〜６のいずれか一項に記載の組成物。
【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
単離もしくは精製された脈絡叢（ＣＰ）分泌タンパク質を含む治療用組成物であって、ここで、前記ＣＰ分泌タンパク質は、ＣＰ条件培地から単離もしくは精製される、治療用組成物。
【請求項２】
前記ＣＰ分泌タンパク質が、以下の因子、ＶＥＧＦ、ＣＴＧＦ、ＰＤＧＦ、ＢＭＰ‐７、ＦＧＦ‐２、ＴＧＦβ、ＴＧＦ‐α、ＩＬ‐６、ＩＬ８／ＣＸＣケモカイン、ＩＧＦ‐１、シスタチン、α‐２ミクログロブリン、多面的因子β、ＮＧＦ、ＮＴ、トランスサイレチン、レチノイン酸、ＰＴＨＬＨ、ハプトコリン、トロポモジュリン３、ＰＥＤＦ、β‐２‐ミクログロブリン、ソマトスタチン、フィブロネクチン、ラミニンβ１、および分泌された細胞外マトリックス因子、のうち少なくとも２つの混合物を含む、請求項１に記載の治療用組成物。
【請求項３】
グルココルチコステロイド、非ステロイド性抗炎症薬（ＮＳＡＩＤＳ）、ＰＤＧＦ、ＥＧＦ、ＩＧＦ、およびＴＮＦ‐αアンタゴニストから成る群より選択される１もしくは２つ以上の免疫賦活化合物をさらに含む、請求項１または請求項２に記載の治療用組成物。
【請求項４】
全身投与または局所投与のために製剤される、請求項１〜３のいずれか１項に記載の治療用組成物。
【請求項５】
経口、静脈内、皮膚、皮内、局所、経鼻、筋肉内、または腹腔内投与のために製剤される、請求項４に記載の治療用組成物。
【請求項６】
請求項１または請求項２に記載の単離または精製されたＣＰ分泌タンパク質を含む美容用組成物。
【請求項７】
創傷治癒に用いるためのカプセル化ＣＰ細胞を含む治療用組成物。
【請求項８】
組織創傷の治癒を改善する方法であって、単離もしくは精製されたＣＰ分泌タンパク質を含む治療用組成物の有効量を、それを必要とするヒトまたは非ヒト患者に投与する工程を含み、ここで、前記ＣＰ分泌タンパク質は、ＣＰ条件培地から単離もしくは精製される、方法。
【請求項９】
前記治療用組成物が、以下の因子：ＣＴＧＦ、ＰＤＧＦ、ＢＭＰ‐７、ＶＥＧＦ、ＦＧＦ‐２、ＴＧＦβ、ＴＧＦ‐α、ＩＬ８／ＣＸＣケモカイン、ＩＧＦ‐１、シスタチン、α‐２ミクログロブリン、多面的因子β、ＮＧＦ、ＮＴ、トランスサイレチン、レチノイン酸、ＰＴＨＬＨ、ハプトコリン、トロポモジュリン３、ＰＥＤＦ、β‐２‐ミクログロブリン、ソマトスタチン、フィブロネクチン、ラミニンβ１、および分泌された細胞外マトリックス因子、のうち少なくとも２つの混合物を含む、請求項８に記載の方法。
【請求項１０】
切創および掻爬創を含む表層皮膚の創傷；手術による切開を含む、皮膚および筋肉を通して広がる深い創傷；スポーツによる傷害または外傷に起因する筋肉および腱の創傷、挫傷、および血腫を含む内部創傷；熱傷；ならびに糖尿病性潰瘍を含む慢性創傷の治癒を改善するためのものである、請求項８または請求項９に記載の方法。
【請求項１１】
グルココルチコステロイド、非ステロイド性抗炎症薬（ＮＳＡＩＤｓ）、ＰＤＧＦ、ＥＧＦ、ＩＧＦ、およびＴＮＦ‐アルファアンタゴニストから成る群より選択される１もしくは２つ以上の追加の免疫反応性化合物を、前記治療用組成物と別々に、順次に、または同時に投与して、創傷治癒をさらに改善する、請求項８〜１０のいずれか１項に記載の方法。
【請求項１２】
前記治療用組成物が、局所または全身投与用に製剤される、請求項８〜１１のいずれか１項に記載の方法。
【請求項１３】
表層皮膚創傷後の皮膚の外観を改善するための美容的方法であって、前記方法は、請求項６に記載の組成物の有効量を、それを必要とするヒトまたは非ヒト患者に投与する工程を含む、方法。
【請求項１４】
単離もしくは精製されたＣＰ分泌タンパク質を、薬学的に許容されるキャリアと共に含む医薬組成物であって、ここで、前記ＣＰ分泌タンパク質は、ＣＰ条件培地から単離もしくは精製される、医薬組成物。
【請求項１５】
前記ＣＰ分泌タンパク質が、以下の因子：ＶＥＧＦ、ＣＴＧＦ、ＰＤＧＦ、ＢＭＰ‐７、ＦＧＦ‐２、ＴＧＦβ、ＴＧＦ‐α、ＩＬ８／ＣＸＣケモカイン、ＩＧＦ‐１、シスタチン、α‐２ミクログロブリン、多面的因子β、ＮＧＦ、ＮＴ、トランスサイレチン、レチノイン酸、ＰＴＨＬＨ、ハプトコリン、トロポモジュリン３、ＰＥＤＦ、β‐２‐ミクログロブリン、ソマトスタチン、フィブロネクチン、ラミニンβ１、および分泌された細胞外マトリックス因子、のうち少なくとも２つの混合物を含む、請求項１４に記載の医薬組成物。
【請求項１６】
薬学的に許容されるキャリアと共にカプセル化ＣＰ細胞を含む、医薬組成物。
【請求項１７】
追加的または相乗的効果を与える１もしくは２つ以上の化合物をさらに含む医薬組成物であって、ここで、前記化合物は、プレドニゾンおよびメチルプレドニゾンなどのグルココルチコステロイド、非ステロイド性抗炎症薬（ＮＳＡＩＤＳ）、成長因子（ＰＤＧＦ、ＥＧＦ、ＩＧＦ、ＶＥＧＦ、ＴＧＦ‐ベータ、など）、抗生物質、トロフィックまたはトロピック化合物、ペプチド、模倣薬、オリゴヌクレオチド、抗体、阻害薬、ならびに第一および第二世代抗ＴＮＦα薬から成る群より選択され、ならびに、前記組成物は、ＣＰ分泌タンパク質と別々に、順次に、または同時に投与するために製剤される、請求項１４〜１６のいずれか１項に記載の医薬組成物。
【請求項１８】
単離もしくは精製されたＣＰ分泌タンパク質を含む治療用組成物の製造方法であって、前記方法は：
ａ）ＣＰ細胞を、基本成長培地中、前記ＣＰ細胞が前記培地中へタンパク質を分泌するのに十分な時間インビトロにて培養する工程；
ｂ）ＣＰ条件培地を抽出する工程；
ｃ）前記ＣＰ条件培地を凍結乾燥する工程；および、
ｄ）所望される場合は、工程ｃ）の前もしくは後に前記ＣＰ条件培地を透析する工程、
を含む、方法。
【請求項１９】
さらに：
ａ）工程ｃ）の前記凍結乾燥したＣＰ条件培地、または工程ｄ）の凍結乾燥および透析したＣＰ条件培地を、薬学的に許容される賦形剤またはキャリアと混合する工程、
を含む、請求項１８に記載の方法。
【請求項２０】
請求項１８または１９に記載の方法で作製された治療用組成物。
【請求項２１】
２もしくは３つ以上の単離または精製された脈絡叢（ＣＰ）分泌タンパク質、および薬学的に許容される賦形剤を含む治療用組成物であって、ここで、前記ＣＰ分泌タンパク質は、表５または表６から選択される、治療用組成物。
【請求項２２】
組織創傷の治癒の改善を、それを必要とするヒトまたは非ヒト患者に施す方法であって、請求項２１に記載の治療用組成物の有効量を前記患者に投与する工程を含む、方法。
【請求項２３】
前記組織創傷が、腹腔、ヘルニア、または筋膜内のものである、請求項８に記載の方法。
【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
（３Ｓ，５Ｒ）−７−［３−アミノ−５−メチル−ピペリジニル］−１−シクロプロピル−１，４−ジヒドロ−８−メトキシ−４−オキソ−３−キノリンカルボン酸のリンゴ酸塩。
【請求項２】
前記リンゴ酸および前記（３Ｓ，５Ｒ）−７−［３−アミノ−５−メチル−ピペリジニル］−１−シクロプロピル−１，４−ジヒドロ−８−メトキシ−４−オキソ−３−キノリンカルボン酸の比が１：１である、請求項１に記載の塩。
【請求項３】
前記塩が水和物の形態である、請求項１または２に記載の塩。
【請求項４】
前記塩が、（３Ｓ，５Ｒ）−７−［３−アミノ−５−メチル−ピペリジニル］−１−シクロプロピル−１，４−ジヒドロ−８−メトキシ−４−オキソ−３−キノリンカルボン酸のリンゴ酸塩０．５水和物である、請求項３に記載の塩。
【請求項５】
前記リンゴ酸が、Ｄ−リンゴ酸である請求項１〜４のいずれか１項に記載の塩。
【請求項６】
前記リンゴ酸が、Ｌ−リンゴ酸である請求項１〜４のいずれか１項に記載の塩。
【請求項７】
前記リンゴ酸が、Ｄ，Ｌ−リンゴ酸である請求項１〜４のいずれか１項に記載の塩。
【請求項８】
（３Ｓ，５Ｒ）−７−［３−アミノ−５−メチル−ピペリジニル］−１−シクロプロピル−１，４−ジヒドロ−８−メトキシ−４−オキソ−３−キノリンカルボン酸のリンゴ酸塩および製薬上許容されるキャリヤを含む薬剤組成物。
【請求項９】
（３Ｓ，５Ｓ）−７−［３−アミノ−５−メチル−ピペリジニル］−１−シクロプロピル−１，４−ジヒドロ−８−メトキシ−４−オキソ−３−キノリンカルボン酸のリンゴ酸塩をさらに含む請求項８に記載の薬剤組成物。
【請求項１０】
前記（３Ｓ，５Ｒ）−７−［３−アミノ−５−メチル−ピペリジニル］−１−シクロプロピル−１，４−ジヒドロ−８−メトキシ−４−オキソ−３−キノリンカルボン酸のリンゴ酸塩および前記（３Ｓ，５Ｓ）−７−［３−アミノ−５−メチル−ピペリジニル］−１−シクロプロピル−１，４−ジヒドロ−８−メトキシ−４−オキソ−３−キノリンカルボン酸のリンゴ酸塩の比が１：１である請求項９に記載の薬剤組成物。
【請求項１１】
細菌感染症を治療するために使用される請求項８〜１０のいずれか１項に記載の薬剤組成物。
【請求項１２】
前記細菌感染症が、黄色ブドウ球菌（Ｓｔａｐｈｙｌｏｃｏｃｃｕｓ  ａｕｒｅｕｓ）、緑膿菌（Ｐｓｅｕｄｏｍｏｎａｓ  ａｅｒｕｇｉｎｏｓａ）、肺炎連鎖球菌（Ｓｔｒｅｐｔｏｃｏｃｃｕｓ  ｐｎｅｕｍｏｎｉａｅ）、大便連鎖球菌（Ｅｎｔｅｒｏｃｏｃｃｕｓ  ｆａｅｃａｌｉｓ）、エンテロコッカス・フェシウム菌（Ｅｎｔｅｒｏｃｏｃｃｕｓ  ｆａｅｃｉｕｍ）、インフルエンザ菌（Ｈａｅｍｏｐｈｉｌｕｓ  ｉｎｆｌｕｅｎｚａｅ）、大腸菌（Ｅｓｃｈｅｒｉｃｈｉａ  ｃｏｌｉ）、または淋菌（Ｎｅｉｓｓｅｒｉａ  ｇｏｎｏｒｒｈｏｅａｅ）の感染症である請求項１１に記載の薬剤組成物。
【請求項１３】
前記細菌感染症が、メチシリン耐性黄色ブドウ球菌（ｍｅｔｈｉｃｉｌｌｉｎ−ｒｅｓｉｓｔａｎｔ  Ｓｔａｐｈｙｌｏｃｏｃｃｕｓ  ａｕｒｅｕｓ）、メチシリン耐性表皮ブドウ球菌（ｍｅｔｈｉｃｉｌｌｉｎ−ｒｅｓｉｓｔａｎｔ  Ｓｔａｐｈｙｌｏｃｏｃｃｕｓ  ｅｐｉｄｅｒｍｉｄｉｓ）、キノロン耐性黄色ブドウ球菌（ｑｕｉｎｏｌｏｎｅ−ｒｅｓｉｓｔａｎｔ  Ｓｔａｐｈｙｌｏｃｏｃｃｕｓ  ａｕｒｅｕｓ）、排出関連メチシリン耐性黄色ブドウ球菌（ｅｆｆｌｕｘ−ｒｅｌａｔｅｄ  ｍｅｔｈｉｃｉｌｌｉｎ−ｒｅｓｉｓｔａｎｔ  Ｓｔａｐｈｙｌｏｃｏｃｃｕｓ  ａｕｒｅｕｓ）、ヘテロバンコマイシン低感受性黄色ブドウ球菌（ｈｅｔｅｒｏ  ｖａｎｃｏｍｙｃｉｎ−ｉｎｔｅｒｍｅｄｉａｔｅ  Ｓｔａｐｈｙｌｏｃｏｃｃｕｓ  ａｕｒｅｕｓ）、バンコマイシン低感受性黄色ブドウ球菌（ｖａｎｃｏｍｙｃｉｎ−ｉｎｔｅｒｍｅｄｉａｔｅ  Ｓｔａｐｈｙｌｏｃｏｃｃｕｓ  ａｕｒｅｕｓ）、バンコマイシン耐性黄色ブドウ球菌（ｖａｎｃｏｍｙｃｉｎ−ｒｅｓｉｓｔａｎｔ  Ｓｔａｐｈｙｌｏｃｏｃｃｕｓ  ａｕｒｅｕｓ）、ペニシリン耐性肺炎連鎖球菌（Ｐｅｎｉｃｉｌｌｉｎ−ｒｅｓｉｓｔａｎｔ  Ｓｔｒｅｐｔｏｃｏｃｃｕｓ  ｐｎｅｕｍｏｎｉａｅ）、フルオロキノロン耐性肺炎連鎖球菌（ｆｌｕｏｒｏｑｕｉｎｏｌｏｎｅ−ｒｅｓｉｓｔａｎｔ  Ｓｔｒｅｐｔｏｃｏｃｃｕｓ  ｐｎｅｕｍｏｎｉａｅ）、または多剤耐性肺炎連鎖球菌（ｍｕｌｔｉ−ｒｅｓｉｓｔａｎｔ  Ｓｔｒｅｐｔｏｃｏｃｃｕｓ  ｐｎｅｕｍｏｎｉａｅ）の感染症である請求項１１に記載の薬剤組成物。
【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
（ａ）（１）有機酸素含有マグネシウム化合物、および
（２）有機酸素含有チタン化合物、
を含む液体炭化水素溶液と；
（ｂ）メンデレーエフの化学元素周期表のＩＶまたはＶ族からの遷移金属を含み、少なくとも２つのハロゲン原子を含有する化合物と；
を反応させることによる固体反応生成物を含むポリエチレンの製造のための触媒を調製する方法であって、
前記炭化水素溶液（ａ）と前記化合物との反応中、固体が沈殿し、その沈殿反応後、得られた混合物を加熱し、還流して、反応を終わらせることを特徴とする方法。
【請求項２】
前記固体反応生成物が、Ｘがハロゲンであり、Ｒが１〜１０の炭素原子を含有する炭化水素ラジカルであり、０＜ｎ≦３である、式ＡｌＲnＸ3-nを有するアルミニウム化合物により処理されることを特徴とする請求項１記載の触媒を調製する方法。
【請求項３】
前記有機酸素含有マグネシウム化合物がマグネシウムアルコキシドであることを特徴とする請求項１または２記載の触媒を調製する方法。
【請求項４】
前記マグネシウムアルコキシドがマグネシウムエトキシドであることを特徴とする請求項３記載の触媒を調製する方法。
【請求項５】
前記有機酸素含有チタン化合物がチタンアルコキシドであることを特徴とする請求項１から４いずれか１項記載の触媒を調製する方法。
【請求項６】
前記チタンアルコキシドがＴｉ（ＯＣ4Ｈ9）4であることを特徴とする請求項５記載の触媒を調製する方法。
【請求項７】
前記遷移金属を含む化合物（ｂ）が、Ｔｉ（ＩＶ）ハロゲン化物、Ｖ（ＩＩＩ）ハロゲン化物、Ｖ（ＩＶ）ハロゲン化物またはＶ（Ｖ）オキシハロゲン化物であることを特徴とする請求項１から６いずれか１項記載の触媒を調製する方法。
【請求項８】
前記化合物（ｂ）がチタンハロゲン化物であることを特徴とする請求項７記載の触媒を調製する方法。
【請求項９】
前記チタンハロゲン化物がＴｉＣｌ4であることを特徴とする請求項８記載の触媒を調製する方法。
【請求項１０】
ポリエチレンを製造するプロセスであって、触媒が、請求項１から９いずれか１項記載の方法にしたがって調製され、重合が前記触媒の存在下で行われることを特徴とするプロセス。
【請求項１１】
前記重合が助触媒の存在下で行われ、該助触媒が、Ｒが１〜１０の炭素原子を含有する炭化水素ラジカルである式ＡｌＲ3を有する有機アルミニウム化合物であることを特徴とする請求項１記載のプロセス。
【請求項１２】
前記ポリエチレンが、以下の特徴：
・  １０，０００ｇ／モルより大きく、１０，０００，０００ｇ／モルより小さい平均分子量
・  ５０と４００μｍの間の平均粒径、および
・  ２００と５００ｋｇ／ｍ3の間の範囲の嵩密度
を有することを特徴とする請求項１０または１１記載のプロセス。
【請求項１３】
前記ポリエチレンが超高分子量ポリエチレンであることを特徴とする請求項１０から１２いずれか１項記載のプロセス。
【請求項１４】
前記ポリエチレンが二峰性ポリエチレンであることを特徴とする請求項１０から１２いずれか１項記載のプロセス。
【請求項１５】
３μｍと３０μｍの間に及ぶ平均粒径および３より小さい粒径分布のスパンを有するポリエチレンの製造のための触媒であって、請求項１から９いずれか１項記載の方法により得られる固体反応生成物を含む触媒。
【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
式（Ｉ）の基
【化１】
2011528383.tif 000001
（式中、Ｒはｎ−ヘキサデシルまたは３，７−ジメチルオクチルである。）
を繰返単位として含み、トリクロロベンゼンを溶離液として使用しポリスチレン標準試薬に対してゲル浸透クロマトグラフィーで求めた数平均分子量Ｍｎが３０〜７０ｋｇ／ｍｏｌの範囲にあるベンゾチアジアゾール−シクロペンタジチオフェンコポリマー。
【請求項２】
液状媒体中に溶解または分散した請求項１の１種以上のコポリマーを含む組成物。
【請求項３】
請求項１の１種以上のコポリマーを含む薄膜半導体。
【請求項４】
基板と、該基板上に設けられた請求項３の薄膜半導体とを含む複合体。
【請求項５】
請求項１に記載の１種類以上のコポリマーを液状媒体中に溶解して溶液とし、該溶液を支持体上に施与し、溶媒を除いて基板上に薄膜半導体を形成することを特徴とする複合体の製造方法。
【請求項６】
前記溶液を、回転塗布、浸漬塗布または印刷により施与する請求項５に記載の製造方法。  
【請求項７】
請求項３の薄膜半導体または請求項４の複合体を含む電界効果トランジスタ装置。
【請求項８】
請求項３の薄膜半導体または請求項４の複合体を含む光発電装置。
【請求項９】
請求項３の薄膜半導体または請求項４の複合体を含む有機発光ダイオード装置。
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
少なくとも１つの内部移行分子、
少なくとも１つの形質転換ポリペプチド、
少なくとも１つのエンドソーム放出分子、
を含む不死化タンパク質複合体であって、
ここで、前記少なくとも１つの分子またはポリペプチドは、少なくとも１つの前記分子またはポリペプチドに作動可能に連結する、前記不死化タンパク質複合体。
【請求項２】
少なくとも１つの核内部移行分子および少なくとも１つのテロメア伸長分子をさらに含む、請求項１に記載の不死化タンパク質複合体。
【請求項３】
形質転換ポリペプチドが細胞老化を克服する能力があり、および／または
エンドソーム放出分子が形質転換ポリペプチドのエンドソームからの放出を促進し、および／または
内部移行分子が不死化タンパク質複合体の標的細胞（単数または複数）への導入を補助する、
請求項１または２に記載の不死化タンパク質複合体。
【請求項４】
内部移行分子がエンドソームに媒介される、請求項１または２に記載の不死化タンパク質複合体。
【請求項５】
内部移行分子が受容体に媒介される、請求項４に記載の不死化タンパク質複合体。
【請求項６】
内部移行分子が、細胞表面受容体結合分子（単数または複数）、細胞表面内部移行分子（単数または複数）および／またはウイルス結合受容体分子（単数または複数）を含む、請求項５に記載の不死化タンパク質複合体。
【請求項７】
内部移行分子が、ＥＧＦ受容体認識分子（単数または複数）またはリガンド（単数または複数）、ＩＧＦ受容体認識分子（単数または複数）またはリガンド（単数または複数）、ＶＥＧＦ受容体認識分子（単数または複数）またはリガンド（単数または複数）、ＦＧＦ受容体認識分子（単数または複数）またはリガンド（単数または複数）、ＰＤＧＦ受容体認識分子（単数または複数）またはリガンド（単数または複数）、インシュリン受容体認識分子（単数または複数）またはリガンド（単数または複数）、成長ホルモン受容体認識分子（単数または複数）またはリガンド（単数または複数）、肝細胞成長因子受容体認識分子（単数または複数）またはリガンド（単数または複数）、ケモカイン受容体認識分子（単数または複数）またはリガンド（単数または複数）、エリスロポエチン受容体認識分子（単数または複数）またはリガンド（単数または複数）、サイトカイン受容体認識分子（単数または複数）またはリガンド（単数または複数）、ｃ−ｋｉｔポリペプチド、ＨＳＶウイルスタンパク質ＶＰ２２および／あるいはリポソーム（単数または複数）を含む、請求項６に記載の不死化タンパク質複合体。
【請求項８】
形質転換ポリペプチドが、１つまたは２つ以上の癌遺伝子（単数または複数）の発現産物（単数または複数）および／あるいは１つまたは２つ以上のヒトテロメラーゼ逆転写酵素（ｈＴＥＲＴ）を含む、請求項１または２に記載の不死化タンパク質複合体。
【請求項９】
癌遺伝子（単数または複数）の発現産物（単数または複数）が、
ＨＰＶ  Ｅ６、ＨＰＶ  Ｅ７、ＳＶ４０  Ｔ抗原（単数または複数）、アデノウイルスＥ１ａ、アデノウイルスＥ１Ｂ、エプスタイン・バーウイルス、ＥＢＮＡ２タンパク質およびＬＭＰ−１タンパク質のうち１つまたは２つ以上を含むウイルス癌遺伝子発現産物（単数または複数）；ならびに／あるいは
ｒａｓ、ｍｙｃおよびｓｒｃ癌遺伝子発現産物（単数または複数）のうち１つまたは２つ以上を含む細胞癌遺伝子発現産物（単数または複数）
を含む、請求項８に記載の不死化タンパク質複合体。
【請求項１０】
エンドソーム放出分子が、エンドソーム放出シグナルポリペプチド（単数または複数）を含む、請求項１または２に記載の不死化タンパク質複合体。
【請求項１１】
エンドソーム放出分子が、ウイルスまたは合成エンドソーム放出分子（単数または複数）を含む、請求項１０に記載の不死化タンパク質複合体。
【請求項１２】
核内部移行分子が、核受容体結合分子（単数または複数）および／または核受容体分子（単数または複数）を含む、請求項１または２に記載の不死化タンパク質複合体。
【請求項１３】
核内部移行分子が、ステロイド（単数または複数）、脂溶性分子（単数または複数）、レチオニン酸、ビタミンＤ、ステロイド受容体スーパーファミリーのメンバー、レチノイド受容体ファミリーのメンバーおよびビタミンＤ受容体またはそれらの組み合わせ（単数または複数）をさらに含む、請求項１２に記載の不死化タンパク質複合体。
【請求項１４】
テロメア伸長分子がｈＴＥＲＴを含む、請求項１または２に記載の不死化タンパク質複合体。
【請求項１５】
テロメア伸長分子が、テロメラーゼ触媒サブユニット（単数または複数）であるｈＴＥＲＴ、またはｈＴＲ、ｈＴＰ−Ａ、ヒト由来のＴＥＲＴもしくは他の哺乳類動物の相同体をさらに含む、請求項１４に記載の不死化タンパク質複合体。
【請求項１６】
細胞を不死化させる方法であって、
不死化タンパク質複合体が内部移行して形質転換ポリペプチドを放出するのに有効な条件下および時間で、請求項１または２に記載の不死化タンパク質複合体を標的細胞に接触させること；および
形質転換ポリペプチドに、細胞の寿命を延長させることおよび／または細胞成長の停止を克服させること、および／または細胞老化を克服させることおよび／または細胞分化を防止させること
を含み、
ここで、不死化タンパク質複合体の内部移行はエンドソームに媒介され、エンドソーム放出分子がエンドソームを崩壊させるとすぐに、形質転換ポリペプチドが放出される、
前記方法。
【請求項１７】
不死化タンパク質複合体を細胞培養培地から取り除き、不死化効果を覆し、完全な分化をすることができる正常な表現型を有する細胞を得ることをさらに含む、請求項１６に記載の方法。
【請求項１８】
標的細胞が、ケラチノサイト、肝細胞、膵島細胞、心筋細胞、骨格筋細胞、上皮細胞、平滑筋細胞、神経細胞および星状膠細胞を含む、請求項１６に記載の方法。
【請求項１９】
不死化タンパク質複合体が標的細胞（単数または複数）にリポソームの形態で接触する、請求項１６に記載の方法。
【請求項２０】
器官または機能特異性細胞を再生する方法であって、
所望の器官または機能特異性標的細胞（単数または複数）を得ること；
請求項１６に記載の方法によって器官または機能特異性細胞を不死化させること；
そうして不死化させた細胞を成長および増大させること；および
不死化タンパク質複合体を培地から取り除くことによって、増大した細胞を再死化させること
を含む、前記方法。
【手続補正書】
【提出日】平成24年7月6日(2012.7.6)
【手続補正１】
【補正対象書類名】特許請求の範囲
【補正対象項目名】全文
【補正方法】変更
【補正の内容】
【特許請求の範囲】
【請求項１】
石炭を処理して、不純物を除去する方法であって：
・アンモニア水溶液を反応容器中に、選択されたアンモニアの濃度範囲で投与し；
・石炭を反応容器中に添加し；
・反応容器内の石炭を攪拌することで、石炭と溶液を混合し、石炭の表面及び孔に溶液を接触させ;
・容器から処理された石炭を排出し；
・処理を監視して、反応容器中のアンモニア水濃度が選択された範囲を下回ったときを検出し；及び
・アンモニア水溶液を、選択された範囲内又はそれを上回るアンモニアの濃度で反応容器に投与して、溶液を選択された範囲内に戻す、
工程を含む、該方法。
【請求項２】
請求項１に記載の方法であって、選択された範囲が３％〜５％のアンモニアである、該方法。
【請求項３】
請求項１に記載の方法であって、更に：
・反応容器から石炭微粉を含有する汚染溶液を排出し; 
・石炭微粉を汚染溶液から回収し、及び
・反応容器に溶液をリサイクルする;
工程を含む方法であり、監視してアンモニア濃度が選択された範囲を下回ったときを検出する工程は、石炭微粉回収前又は後のいずれかで、排出した溶液中のアンモニア濃度を監視することによって行われる、該方法。
【請求項４】
請求項３に記載の方法であって、回収された石炭微粉が、処理された石炭に混合して戻される、該方法。
【請求項５】
請求項４に記載の方法であって、更に：
・処理された石炭及び回収した微粉を脱イオン水でリンスして；及び
・リンスした石炭を脱水する
工程を含む、該方法。
【請求項６】
請求項５に記載の方法であって、更に；脱水工程から排水を集める工程、及び排水を処理して、排水から石炭微粉を分離する工程を含む、該方法。
【請求項７】
請求項１に記載の方法であって、反応容器内で比重選鉱装置又は遠心分離スクリーン装置によって、石炭から、黄鉄鉱硫黄及び石炭粒子よりも密度の高い物を分離する工程を更に含む、該方法。
【請求項８】
請求項１に記載の方法であって、反応容器から処理した石炭を除去する工程が：
・アンモニア水溶液中の石炭スラリーの石炭を除去する工程；
・スラリーを反応容器外の比重選鉱装置又は遠心分離スクリーン装置に送って、スラリーから、黄鉄鉱硫黄及び石炭粒子よりも密度の高い物を分離する工程；及び
・スラリーを排出して溶液から石炭を分離する工程
を含む、該方法。
【請求項９】
請求項８に記載の方法であって、スラリーから排出した溶液を反応容器へリサイクルする工程を更に含み、監視してアンモニア濃度が選択された範囲を下回ったときを検出するステップが、スラリーから排出した溶液中のアンモニア濃度を監視することによって行われる、該方法。
【手続補正書】
【提出日】平成24年6月26日(2012.6.26)
【手続補正１】
【補正対象書類名】明細書
【補正対象項目名】００８３
【補正方法】変更
【補正の内容】
【００８３】
本発明の範囲から逸脱しなければ、前述の組成物、複合材料及び方法にある程度の変更を加えることが可能なことは、当業者には明らかであろう。従って、本明細書中に開示した全ての事柄は、一例に過ぎず、請求する保護範囲を限定しないと解するものとする。更に、本発明の組成物、複合材料及び方法は前記の具体例によって限定すべきでなく、これらの例は本発明の組成物、複合材料及び方法の実例である。
以下に、本発明及びその関連態様を記載する。
態様１．（ｉ）炭素繊維のような強化用繊維並びに（ｉｉ）（ａ）熱硬化性樹脂及び（ｂ）少なくとも１種のブロックコポリマー強化剤を含む熱硬化性樹脂組成物を含んでなる構造用複合材料。
態様２．前記ブロックコポリマー強化剤が二次相強化剤である態様１に記載の複合材料。
態様３．前記ブロックコポリマー強化剤が両親媒性ブロックコポリマーを含む態様２に記載の複合材料。
態様４．前記ブロックコポリマー強化剤がポリ（エチレンオキシド）−ｂ−ポリ（ブチレンオキシド）（ＰＥＯ−ＰＢＯ）ジブロックコポリマー又はポリ（エチレンオキシド）−ｂ−ポリ（ブチレンオキシド）−ｂ−ポリ（エチレンオキシド）（ＰＥＯ−ＰＢＯ−ＰＥＯ）トリブロックコポリマーを含む態様３に記載の複合材料。
態様５．前記熱硬化性樹脂組成物中に存在するブロックコポリマー強化剤の量が、熱硬化性樹脂の総重量に基づき、約１〜約２０重量％である態様１に記載の複合材料。
態様６．前記複合材料がサンドイッチ材料のスキンであることができる態様１に記載の複合材料。これは典型的には軽量のコアの両面に適用される。
態様７．前記熱硬化性樹脂組成物中に存在するブロックコポリマー強化剤の量が、熱硬化性樹脂の総重量に基づき、約０．１〜約５０重量％である態様５に記載の複合材料。
態様８．前記熱硬化性樹脂がエポキシ樹脂、ビニルエステル樹脂、シアネートエステル樹脂又はポリエステルを含む態様１に記載の複合材料。
態様９．前記熱硬化性樹脂組成物が（ｃ）硬化剤、（ｄ）触媒及び、任意的に、（ｅ）添加剤を更に含む態様１に記載の複合材料。
態様１０．前記構造用複合材料のガラス転移温度（Ｔｇ）が約７０〜約３００℃である態様１に記載の複合材料。
態様１１．前記構造用複合材料が、樹脂体積分率約１０〜約９５％の平均樹脂分を含む態様１に記載の複合材料。
態様１２．前記構造用複合材料の平均モードＩ歪エネルギー解除率が約２００〜約１５００Ｊ／ｍ２である態様１に記載の複合材料。
態様１３．態様１に記載の前記構造用複合材料の製造方法。
態様１４．（１）熱硬化性樹脂組成物を部分硬化させてアドバンスト熱硬化性樹脂を形成せしめ；（２）炭素強化剤に前記アドバンスト熱硬化性樹脂を含浸させてプリプレグを形成せしめ；そして（３）前記プリプレグを完全硬化させて構造用複合材料を形成せしめることを含んでなる態様１３に記載の方法。
態様１５．前記熱硬化性樹脂を硬化させる温度が約５０〜約３００℃である態様１４に記載の方法。
【手続補正２】
【補正対象書類名】特許請求の範囲
【補正対象項目名】全文
【補正方法】変更
【補正の内容】
【特許請求の範囲】
【請求項１】
（ｉ）強化用繊維並びに（ｉｉ）（ａ）熱硬化性樹脂及び（ｂ）少なくとも１種のブロックコポリマー強化剤を含む熱硬化性樹脂組成物を含んでなる構造用複合材料。
【請求項２】
前記ブロックコポリマー強化剤が二次相強化剤である請求項１に記載の複合材料。
【請求項３】
前記ブロックコポリマー強化剤が両親媒性ブロックコポリマーを含む請求項２に記載の複合材料。
【請求項４】
前記ブロックコポリマー強化剤がポリ（エチレンオキシド）−ｂ−ポリ（ブチレンオキシド）（ＰＥＯ−ＰＢＯ）ジブロックコポリマー又はポリ（エチレンオキシド）−ｂ−ポリ（ブチレンオキシド）−ｂ−ポリ（エチレンオキシド）（ＰＥＯ−ＰＢＯ−ＰＥＯ）トリブロックコポリマーを含む請求項３に記載の複合材料。
【請求項５】
前記熱硬化性樹脂組成物中に存在するブロックコポリマー強化剤の量が、熱硬化性樹脂の総重量に基づき、１〜２０重量％である請求項１に記載の複合材料。
【請求項６】
前記複合材料がサンドイッチ材料のスキンであることができる請求項１に記載の複合材料。
【請求項７】
前記熱硬化性樹脂組成物中に存在するブロックコポリマー強化剤の量が、熱硬化性樹脂の総重量に基づき、０．１〜５０重量％である請求項５に記載の複合材料。
【請求項８】
前記熱硬化性樹脂がエポキシ樹脂、ビニルエステル樹脂、シアネートエステル樹脂又はポリエステルを含む請求項１に記載の複合材料。
【請求項９】
前記熱硬化性樹脂組成物が（ｃ）硬化剤、（ｄ）触媒及び、任意的に、（ｅ）添加剤を更に含む請求項１に記載の複合材料。
【請求項１０】
前記構造用複合材料のガラス転移温度（Ｔｇ）が７０〜３００℃である請求項１に記載の複合材料。
【請求項１１】
前記構造用複合材料が、樹脂体積分率１０〜９５％の平均樹脂分を含む請求項１に記載の複合材料。
【請求項１２】
前記構造用複合材料の平均モードＩ歪エネルギー解除率が２００〜１５００Ｊ／ｍ２である請求項１に記載の複合材料。
【請求項１３】
請求項１に記載の前記構造用複合材料の製造方法。
【請求項１４】
（１）熱硬化性樹脂組成物を部分硬化させてアドバンスト熱硬化性樹脂を形成せしめ；（２）炭素強化剤に前記アドバンスト熱硬化性樹脂を含浸させてプリプレグを形成せしめ；そして（３）前記プリプレグを完全硬化させて構造用複合材料を形成せしめることを含んでなる請求項１３に記載の方法。
【請求項１５】
前記熱硬化性樹脂を硬化させる温度が５０〜３００℃である請求項１４に記載の方法。
【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
脂肪族炭素−炭素二重結合を含有するブタジエンポリマーを、フェニルトリアルキルアンモニウムトリブロミド、ベンジルトリアルキルアンモニウムトリブロミド又はテトラアルキルアンモニウムトリブロミドと、ブタジエンポリマー用の少なくとも１種の溶媒の存在下に、反応させて、臭素化ブタジエンポリマー及びフェニルトリアルキルアンモニウムモノブロミド、ベンジルトリアルキルアンモニウムモノブロミド又はテトラアルキルアンモニウムモノブロミド副生物を生成させることを含んでなる方法であって、ブタジエンポリマー中の脂肪族炭素−炭素二重結合の２５〜９０％が臭素化されたときに、フェニルトリアルキルアンモニウムモノブロミド、ベンジルトリアルキルアンモニウムモノブロミド又はテトラアルキルアンモニウムモノブロミド副生物用の溶媒を、反応混合物に添加して、フェニルトリアルキルアンモニウムモノブロミド、ベンジルトリアルキルアンモニウムモノブロミド又はテトラアルキルアンモニウムモノブロミド副生物用の溶媒の存在下に、臭素化反応の残りを実施する方法。
【請求項２】
脂肪族炭素−炭素二重結合を含有するブタジエンポリマーを、フェニルトリアルキルアンモニウムトリブロミド、ベンジルトリアルキルアンモニウムトリブロミド又はテトラアルキルアンモニウムトリブロミドと、ブタジエンポリマー用の少なくとも１種の溶媒の存在下に、反応させて、臭素化ブタジエンポリマー及びフェニルトリアルキルアンモニウムモノブロミド、ベンジルトリアルキルアンモニウムモノブロミド又はテトラアルキルアンモニウムモノブロミド副生物を生成させることを含んでなる方法であって、ブタジエンポリマー中の脂肪族炭素−炭素二重結合の２５〜９０％が臭素化されたときに、水を反応混合物に添加して、水の存在下に、臭素化反応の残りを実施する方法。
【請求項３】
水又はフェニルトリアルキルアンモニウムモノブロミド、ベンジルトリアルキルアンモニウムモノブロミド若しくはテトラアルキルアンモニウムモノブロミド副生物用の溶媒を、ブタジエンポリマー中の脂肪族炭素−炭素二重結合の５０〜８０％が臭素化されたときに、添加する請求項１又は２に記載の方法。
【請求項４】
フェニルトリアルキルアンモニウムモノブロミド、ベンジルトリアルキルアンモニウムモノブロミド若しくはテトラアルキルアンモニウムモノブロミド副生物用の溶媒を、ブタジエンポリマー中の脂肪族炭素−炭素二重結合の６０〜７５％が臭素化されたときに、添加する請求項１〜３のいずれか１項に記載の方法。
【請求項５】
前記ブタジエンポリマーをテトラアルキルアンモニウムトリブロミドと反応させる請求項１〜４のいずれか１項に記載の方法。
【請求項６】
前記ブタジエンポリマーをテトラエチルアンモニウムトリブロミドと反応させる請求項５に記載の方法。
【請求項７】
前記ブタジエンポリマーのための溶媒がハロゲン化アルカン又はハロゲン化芳香族化合物である請求項１〜６のいずれか１項に記載の方法。
【請求項８】
水又はフェニルトリアルキルアンモニウムモノブロミド、ベンジルトリアルキルアンモニウムモノブロミド若しくはテトラアルキルアンモニウムモノブロミド副生物用の溶媒を添加した後、出発ポリマー上の脂肪族炭素−炭素二重結合の少なくとも９０％が臭素化されるまで、反応を続ける請求項１〜７のいずれか１項に記載の方法。
【請求項９】
前記ブタジエンポリマーがブタジエンとビニル芳香族モノマーとのコポリマーである請求項１〜８のいずれか１項に記載の方法。
【請求項１０】
前記ブタジエンポリマーがブタジエンとスチレンとのブロックコポリマーである請求項９に記載の方法。
【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
グリセロールデヒドロゲナーゼをコードする異種遺伝子を含む好熱性組換え細菌であって、グリセロールデヒドロゲナーゼをコードする異種遺伝子が、染色体に組み込まれている好熱性組換え細菌。
【請求項２】
挿入された異種遺伝子が、グリセロールデヒドロゲナーゼ (E.C 1.1.1.6); グリセロールデヒドロゲナーゼ (NADP(+)) (E.C. 1.1.1.72); グリセロール 2-デヒドロゲナーゼ (NADP(+)) (E.C. 1.1.1.156);およびグリセロールデヒドロゲナーゼ (アクセプター) (E.C. 1.1.99.22) からなる群から選択されるグリセロールデヒドロゲナーゼをコードするものである、請求項 1の細菌。
【請求項３】
グリセロールデヒドロゲナーゼをコードする異種遺伝子がサーモトガ(Thermotoga)に由来するかまたはジオバチルス(Geobacillus)に由来する請求項１または２の細菌。
【請求項４】
グリセロールデヒドロゲナーゼをコードする異種遺伝子が、配列番号1、配列番号2、配列番号3、配列番号4、配列番号5、配列番号6、配列番号7、配列番号8、配列番号9、配列番号10、配列番号11、配列番号12、配列番号13、配列番号14、配列番号15、配列番号16および配列番号17からなる群から選択される、請求項１−３のいずれかの細菌。
【請求項５】
グリセロールデヒドロゲナーゼをコードする異種遺伝子が、該細菌の乳酸デヒドロゲナーゼをコードする領域に挿入されているか、または該細菌のホスホトランスアセチラーゼをコードする領域に挿入されているか、または該細菌の酢酸キナーゼをコードする領域に挿入されている、請求項１−４いずれかの細菌。
【請求項６】
該グリセロールデヒドロゲナーゼをコードする異種遺伝子が、誘導可能、調節性または構成的プロモーターに作動可能に連結している、請求項１−５いずれかの細菌。
【請求項７】
細菌がサーモアナエロバクター属(genus of Thermoanaerobacter)に由来する請求項１−６いずれかの細菌。
【請求項８】
BG1 (DSMZ 受入番号 18280)であるサーモアナエロバクター・マスラニイ(Thermoanaerobacter mathranii) 株である、請求項７の細菌。
【請求項９】
サーモアナエロバクター・マスラニイ(Thermoanaerobacter mathranii) 株 BG1G1 (DSMZ 受入番号 19229)である、請求項７の細菌。
【請求項１０】
請求項１の細菌であって、グリセロールおよびキシロースを含む成長培地中で培養された場合、親細菌と比較して、キシロースからの上昇したエタノール収量を有する、細菌。
【請求項１１】
エタノールを生産する方法であって、請求項1-１０のいずれかの細菌を、グリセロールおよび炭水化物源を含む成長培地中にて好適な条件下で培養する工程を含み、ここで、炭水化物源が、単糖、オリゴ糖および多糖からなる群から選択される、方法
【請求項１２】
炭水化物源が、デンプン、リグノセルロース、セルロース、ヘミセルロース、グリコーゲン、キシラン、グルクロノキシラン、アラビノキシラン、アラビノガラクタン、グルコマンナン、キシログルカン、およびガラクトマンナンからなる群から選択される多糖である、請求項１１の方法。
【請求項１３】
厳密な嫌気性条件下で実施される発酵プロセスである請求項1１または１２のいずれかの方法。
【請求項１４】
連続発酵プロセスである請求項１１−１３のいずれかの方法。
【請求項１５】
成長培地が、キシロースに対して４０％から４００％（ｗ／ｗ）のグリセロール濃度を含む、請求項１１−１４のいずれかの方法。
【請求項１６】
グリセロールおよびキシロースを含む成長培地において培養された場合に、親細菌と比較して、キシロースからの上昇したエタノール収量を有する、組換え細菌を生産する方法であって、 
(a) 親好熱性細菌をグリセロールデヒドロゲナーゼをコードする異種遺伝子の該細菌の染色体への挿入によって形質転換する工程、および、
(b)該組換え細菌を得る工程、
を含む方法。
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
Aβペプチド、又はそれらの変種へ、好ましくは高親和性で、結合することを特徴とする、抗体。
【請求項２】
前記高親和性が、10-7Mまたはそれより優れた解離定数(KD)値を意味する、請求項1記載の抗体。
【請求項３】
前記抗体が、モノクローナル抗体である、請求項1又は2記載の抗体。
【請求項４】
前記抗体の軽鎖の可変部分が、配列番号：49、53、57及び61から選択されたヌクレオチド配列、又は配列番号：50、54、58及び62から選択されたアミノ酸配列を有する、請求項1〜3のいずれか1項記載の抗体。
【請求項５】
前記抗体の重鎖の可変部分が、配列番号：51、55、59及び63から選択されるヌクレオチド配列、又は配列番号：52、56、60及び64から選択されるアミノ酸配列を有する、請求項1〜4のいずれか1項記載の抗体。
【請求項６】
前記抗体の軽鎖の可変部分が、配列番号：49のヌクレオチド配列又は配列番号：50のアミノ酸配列を有し、ここで該抗体の重鎖の可変部分が、配列番号：51のヌクレオチド配列、又は配列番号：52のアミノ酸配列を有する、請求項1〜5のいずれか1項記載の抗体。
【請求項７】
前記抗体の軽鎖の可変部分が、配列番号：53のヌクレオチド配列又は配列番号：54のアミノ酸配列を有し、ここで該抗体の重鎖の可変部分が、配列番号：55のヌクレオチド配列、又は配列番号：56のアミノ酸配列を有する、請求項1〜6のいずれか1項記載の抗体。
【請求項８】
前記抗体の軽鎖の可変部分が、配列番号：57のヌクレオチド配列又は配列番号：58のアミノ酸配列を有し、ここで該抗体の重鎖の可変部分が、配列番号：59のヌクレオチド配列、又は配列番号：60のアミノ酸配列を有する、請求項1〜7のいずれか1項記載の抗体。
【請求項９】
前記抗体の軽鎖の可変部分が、配列番号：61のヌクレオチド配列又は配列番号：62のアミノ酸配列を有し、ここで該抗体の重鎖の可変部分が、配列番号：63のヌクレオチド配列、又は配列番号：64のアミノ酸配列を有する、請求項1〜8のいずれか1項記載の抗体。
【請求項１０】
前記抗体が：
Aβ 5-5-6 (寄託番号DSM ACC 2923)
Aβ 6-1-6 (寄託番号DSM ACC 2924)
Aβ 17-4-3 (寄託番号DSM ACC 2925)
Aβ 24-2-3 (寄託番号DSM ACC 2926)
又はそれらの機能的変種の群から選択される、請求項1〜9のいずれか1項記載の抗体。
【請求項１１】
前記抗体が、ヒト化抗体又はキメラ抗体、又はその高親和性を保持している抗体断片である、請求項1〜10のいずれか1項記載の抗体。
【請求項１２】
Aβペプチド又はそれらの変種の検出において使用するための、請求項1〜11のいずれか1項記載の抗体。
【請求項１３】
前記Aβペプチド変種が：
pGlu-Aβ3-38
pGlu-Aβ3-40
pGlu-Aβ3-42、及び
pGlu-Aβ3-x変種：の群から選択され、ここでxは、10〜42；好ましくは18〜42、より好ましくは30〜42の間の整数である、請求項12記載の抗体。
【請求項１４】
ヒトである、請求項1〜13のいずれか1項記載の抗体。
【請求項１５】
前記高親和性を保持している、ダイアボディ又は単鎖抗体である、請求項1〜14のいずれか1項記載の抗体。
【請求項１６】
請求項13記載の抗体により結合されたエピトープへ結合する、請求項1〜15のいずれか1項記載の抗体。
【請求項１７】
請求項13記載の抗体の相補性決定領域を有する、請求項1〜16のいずれか1項記載の抗体。
【請求項１８】
標識されている、請求項1〜17のいずれか1項記載の抗体。
【請求項１９】
固相上に固定されている、請求項1〜18のいずれか1項記載の抗体。
【請求項２０】
ハイブリドーマ細胞株DSM ACC 2923、DSM ACC 2924、DSM ACC 2925、DSM ACC 2926のいずれか1つから入手可能である抗体。
【請求項２１】
請求項1〜20のいずれか1項記載の抗体を含有する組成物。
【請求項２２】
アミロイドーシスの治療、予防又は遅延において使用するための、請求項21記載の組成物。
【請求項２３】
前記アミロイドーシスが、軽度認知障害、アルツハイマー病及びダウン症候群の神経変性からなる群から選択される神経変性疾患である、請求項21又は22記載の組成物。
【請求項２４】
前記アミロイドーシスが、散発性アルツハイマー病又は家族性アルツハイマー型認知症である、請求項21又は22記載の組成物。
【請求項２５】
前記家族性アルツハイマー型認知症が、家族性英国型認知症又は家族性デンマーク型認知症である、請求項24記載の組成物。
【請求項２６】
DSM ACC 2923、DSM ACC 2924、DSM ACC 2925、及びDSM ACC 2926からなる群から選択される、ハイブリドーマ細胞株。
【請求項２７】
アミロイド-関連疾患又は状態の診断又は治療のための医薬の調製のための、請求項1〜20のいずれか1項記載の抗体、又は請求項21〜25のいずれか1項記載の組成物の使用。
【請求項２８】
アミロイド-関連疾患又は状態の診断のための、請求項27記載の使用。
【請求項２９】
前記アミロイドーシスが、
i）軽度認知障害、アルツハイマー病及びダウン症候群の神経変性、及び
ii）散発性アルツハイマー病又は家族性アルツハイマー型認知症、
からなる群から選択される神経変性疾患である、請求項28記載の使用。
【請求項３０】
前記家族性アルツハイマー型認知症が、家族性英国型認知症又は家族性デンマーク型認知症である、請求項29記載の使用。
【請求項３１】
アミロイド-関連疾患又は状態、特にアルツハイマー病のインビトロ診断のための医薬の調製のための、請求項1〜20のいずれか1項記載の抗体、又は請求項21〜25のいずれか1項記載の組成物の使用であって、請求項1〜20のいずれか1項記載の抗体を、該疾患又は状態に罹患していることが疑われる対象からの試料と接触する工程、並びに該抗体の該試料由来のpGlu-アミロイドタンパク質、好ましくはpGlu-Aβペプチドへの結合を検出する工程を含む、前記使用。
【請求項３２】
請求項1〜20のいずれか1項記載の抗体、及び使用説明書、並びに任意に更なる生物学的活性物質を備える、診断用キット。
【請求項３３】
前記更なる生物学的物質が、グルタミニルシクラーゼの阻害剤である、請求項32記載の診断用キット。
【請求項３４】
配列番号：23〜48からなる群から選択されるオリゴヌクレオチド。